(57)【要約】【課題】クロック信号の誤った切り替えの防止を図る。【解決手段】ユニット１２ｉへの電源供給でパワーオンリセット信号発生回路１２８ｉからリセット時間出力されるリセット信号Ｒによってインヒビット回路１２９ｉからの選択信号Ｓ２を第２の選択回路１２７ｉで選択する。状態保持回路１２６ｉは、クロック信号切り替え制御ユニット１４からの地気情報信号によってクロック信号切り替え制御ユニット１４からのクロック切り替え信号Ｓ１を保持する。リセット時間経過後パワーオンリセット信号発生回路１２８ｉからリセット信号Ｒが出力されなくなると、第２の選択回路１２７ｉは、状態保持回路１２６ｉに保持され出力されているクロック切り替え信号Ｓ１を選択する。【選択図】図１
2010191725.tif 000002
【特許請求の範囲】
【請求項１】
クロック信号切り替え制御ユニットと、
２以上のクロック信号のうちのいずれか１つのクロック信号を選択し、選択された前記クロック信号をデジタル処理部へ供給するクロック信号被供給ユニットとを有し、
クロック信号切り替え制御ユニットが挿入されていることを示す信号に基づいて、前記クロック信号切り替え制御ユニットの抜去時に該抜去前まで前記クロック信号切り替え制御ユニットから出力されていたクロック切り替え信号を保持する状態保持回路を含むことを特徴とするクロック切り替え回路。
【請求項２】
クロック信号切り替え制御ユニットと、
２以上のクロック信号のうちのいずれか１つのクロック信号を選択し、選択された前記クロック信号をデジタル処理部へ供給するクロック信号被供給ユニットとを有し、
該クロック信号被供給ユニットに、
クロック信号切り替え制御ユニットが挿入されていることを示す信号に基づいて前記クロック信号切り替え制御ユニットの抜去時に該抜去前まで前記クロック信号切り替え制御ユニットから出力されていたクロック切り替え信号を保持する状態保持回路と、
前記クロック信号被供給ユニットの挿入時から所定時間の間予め設定されて出力される選択信号をクロック選択信号とし該クロック選択信号により前記２以上の前記クロック信号のうちの１つの前記クロック信号の選択を行い、前記所定時間経過後に前記状態保持回路から出力される前記クロック切り替え信号をクロック選択信号とし該クロック選択信号により前記１つの前記クロック信号の選択を行うクロック選択回路とを備える一方、
前記クロック信号切り替え制御ユニットに、
前記クロック信号切り替え制御ユニットの挿入時に、該挿入時まで前記クロック信号被供給ユニットでのクロック選択に使用されていたクロック選択信号をクロック切り替え信号として出力するクロック切り替え信号出力回路を備えることを特徴とするクロック切り替え回路。
【請求項３】
前記クロック信号被供給ユニットは複数で、該各クロック信号被供給ユニットでの前記クロック選択に使用される前記クロック選択信号が、前記各クロック信号被供給ユニットから選択信号として出力され、その出力がオア論理接続で結合されることを特徴とする請求項１又は２記載のクロック切り替え回路。
【請求項４】
前記クロック信号切り替え制御ユニットが挿入されていることを示す信号は、前記クロック信号切り替え制御ユニットから出力される地気情報信号の供給断を示す信号であることを特徴とする請求項１、２又は３記載のクロック切り替え回路。
【請求項５】
クロック選択回路は、前記選択信号又は前記クロック切り替え信号のいずれか一方を選択してクロック選択信号として出力する選択回路と、該選択回路の出力に接続され前記選択回路から出力される前記クロック選択信号の出力を前記所定時間インヒビットさせ、前記所定時間経過後前記インヒビットの解除を行う禁止回路と、前記選択回路の選択制御入力及び前記禁止回路のインヒビット制御入力に接続され、前記所定時間前記選択回路に前記選択信号を選択させると共に前記禁止回路に前記インヒビットを生じさせ、前記所定時間経過後前記選択回路に前記クロック切り替え信号を選択させると共に前記禁止回路に前記インヒビットの解除を生じさせるリセット信号を出力するリセット信号出力回路とから構成されることを特徴とする請求項２、３又は４記載のクロック切り替え回路。
【請求項６】
前記リセット信号出力回路は、パワーオンリセット信号発生回路で、前記所定時間は、前記クロック信号被供給ユニットの電源が立ち上がった後、内部回路が正常な動作が開始するまでの間の時間であることを特徴とする請求項５記載のクロック切り替え回路。
【請求項７】
クロック信号切り替え制御ユニットが挿入されていることを示す信号に基づいて、前記クロック信号切り替え制御ユニットの抜去時に該抜去前まで前記クロック信号切り替え制御ユニットから出力されていたクロック切り替え信号を保持する状態保持回路を含むことを特徴とするクロック信号被供給ユニット。
【請求項８】
クロック信号切り替え制御ユニットが挿入されていることを示す信号に基づいて前記クロック信号切り替え制御ユニットの抜去時に該抜去前まで前記クロック信号切り替え制御ユニットから出力されていたクロック切り替え信号を保持する状態保持回路と、
前記クロック信号被供給ユニットの挿入時から所定時間の間予め設定されて出力される選択信号をクロック選択信号とし該クロック選択信号により前記２以上の前記クロック信号のうちの１つの前記クロック信号の選択を行い、前記所定時間経過後に前記状態保持回路から出力される前記クロック切り替え信号をクロック選択信号とし該クロック選択信号により前記１つの前記クロック信号の選択を行うクロック選択回路とを備えるクロック信号被供給ユニット。
【請求項９】
前記クロック選択回路は、前記選択信号又は前記クロック切り替え信号のいずれか一方を選択してクロック選択信号として出力する選択回路と、該選択回路の出力に接続され前記選択回路から出力される前記クロック選択信号の出力を前記所定時間インヒビットさせ、前記所定時間経過後前記インヒビットの解除を行う禁止回路と、前記選択回路の選択制御入力及び前記禁止回路のインヒビット制御入力に接続され、前記所定時間前記選択回路に前記選択信号を選択させると共に前記禁止回路に前記インヒビットを生じさせ、前記所定時間経過後前記選択回路に前記クロック切り替え信号を選択させると共に前記禁止回路に前記インヒビットの解除を生じさせるリセット信号を出力するリセット信号出力回路とから構成されることを特徴とする請求項７記載のクロック信号被供給ユニット。
【請求項１０】
前記リセット信号出力回路は、パワーオンリセット信号発生回路で、前記所定時間は、前記クロック信号被供給ユニットの電源が立ち上がった後、内部回路が正常な動作が開始するまでの間の時間であることを特徴とする請求項９記載のクロック信号被供給ユニット。
【発明の詳細な説明】
【技術分野】
【０００１】
この発明は、クロック切り替え回路及びクロック信号被供給ユニットに関し、詳しくは、クロック切り替え制御ユニット及びクロック信号被供給ユニットの抜去時における誤ったクロック切り替えの発生防止手段を改良したクロック切り替え回路及びクロック信号被供給ユニットに関する。
【背景技術】
【０００２】
従来から２重化クロック供給系から供給されるクロック信号のうちの１つのクロック信号を選択して被クロック供給系に供給するクロック切り替え回路が知られている。その例は、特許文献１に記載されている。
特許文献１のクロック切替回路は、複数のクロック信号被供給パッケージからオア論理されて出力される選択信号及びクロック信号切替制御パッケージからのクロック切換信号を選択回路に入力し、クロック信号切替制御パッケージからの実装信号を選択制御入力に受ける選択回路で、選択信号又はクロック切換信号のいずれか一方を選択して被クロック供給部へ供給する回路構成を採っている。
【先行技術文献】
【特許文献】
【０００３】
【特許文献１】特開平０８−１３９７１２号公報
【発明の概要】
【発明が解決しようとする課題】
【０００４】
ところで、上述した特許文献１に記載されるクロック切替回路は、クロック信号被供給パッケージ又クロック信号切替制御パッケージの挿抜時にクロック供給系の選択を一応可能になっている。
しかしながら、選択信号又はクロック切換信号のいずれか一方の選択は、地気情報信号（実装信号）をクロック切換パッケージから供給して行われる構成となっており、そのクロック信号切替制御パッケージを挿抜する瞬時でのクロック選択に誤った選択が入るおそれがあるという技術的課題がある。
【０００５】
この発明は、上述の事情に鑑みてなされたもので、不要なクロック信号の切り替えを確実に防止し得るクロック切り替え回路及びクロック信号被供給ユニットを提供することを目的としている。
【課題を解決するための手段】
【０００６】
上記課題を解決するために、この発明の第１の構成は、クロック信号被供給ユニットの内部回路へ供給されるクロック信号を選択するクロック切り替え回路に係り、クロック信号切り替え制御ユニットと、２以上のクロック信号のうちのいずれか１つのクロック信号を選択し、選択されたクロック信号を内部回路へ供給するクロック信号被供給ユニットとを有し、クロック信号切り替え制御ユニットが挿入されていることを示す信号に基づいて、上記クロック信号切り替え制御ユニットの抜去時に該抜去前まで上記クロック信号切り替え制御ユニットから出力されていたクロック切り替え信号を保持する状態保持回路を含むことを特徴としている。
【０００７】
この発明の第２の構成は、クロック信号の選択を行うクロック切り替え回路に用いられるクロック信号被供給ユニットの内部回路に係り、クロック信号切り替え制御ユニットが挿入されていることを示す信号に基づいて、上記クロック信号切り替え制御ユニットの抜去時に該抜去前まで上記クロック信号切り替え制御ユニットから出力されていたクロック切り替え信号を保持する状態保持回路を含むことを特徴としている。
【発明の効果】
【０００８】
この発明によれば、クロック信号被供給ユニットにクロック信号切り替え制御ユニットの挿抜に無関係な選択系を設けてクロック供給系の選択を行うようにしたので、クロック信号切り替え制御ユニット等の挿抜時におけるクロック信号の誤った切り替えを確実に防止することができる。
【図面の簡単な説明】
【０００９】
【図１】この発明の実施形態１であるクロック切り替え回路を示すブロック図である。
【発明を実施するための形態】
【実施形態１】
【００１０】
図１は、この発明の実施形態１であるクロック切り替え回路を示すブロック図である。
この実施形態のクロック切り替え回路１０は、クロック信号切り替え制御ユニットとクロック信号被供給ユニットとの挿抜時でも、クロック信号被供給ユニットの新たな挿入時でも、クロック信号の切り替えを誤って生じさせない回路に係り、図１に示すように、複数のクロック信号被供給ユニット１２ｉ（ｉ＝１、２、…Ｎのうちの１つ）と、クロック信号切り替え制御ユニット１４とから概略構成されている。これらの１２ｉ，１４は、これらを搭載するデジタル処理装置の構体（図示せず）に着脱自在に構成されている。
【００１１】
複数のクロック信号被供給ユニット１２ｉは、いずれも、同じ構成であるので、クロック信号被供給ユニット１２１についての構成を代表して説明する。
クロック信号被供給ユニット１２１は、図１に示すように、第１の断検出回路１２１１と、第２の断検出回路１２２１と、第１のバッファ回路１２３１と、第２のバッファ回路１２４１と、第１の選択回路１２５１と、状態保持回路１２６１と、第２の選択回路１２７１と、パワーオンリセット信号発生回路１２８１と、インヒビット回路１２９１と、抵抗素子１３０１，１３１１とを有して構成されている。
【００１２】
第１の断検出回路１２１１は、第１のクロック信号供給ユニット（図示せず）からのクロック信号Ｃ１の断を検出する回路である。
第２の断検出回路１２２１は、第２のクロック信号供給ユニット（図示せず）からのクロック信号Ｃ２の断を検出する回路である。
第１のバッファ回路１２３１は、第１の断検出回路１２１１からの出力信号をクロック信号切り替え制御ユニット１４へ供給する回路である。
第２のバッファ回路１２４１は、第２の断検出回路１２１２からの出力信号をクロック信号切り替え制御ユニット１４へ供給する回路である。
【００１３】
第１のバッファ回路１２３１及び第２のバッファ回路１２４１は、いずれも、オープンコレクタ出力バッファであり、他の複数のクロック信号被供給ユニットのバッファ回路の出力とマルチ接続（後述する抵抗素子１４６，１４７を含めて構成されるオア論理接続）され、いずれかのクロック信号被供給ユニットにて断を検出してもその断検出信号がクロック信号切り替え制御ユニット１４へ供給され得る構成となっている。
【００１４】
第１の選択回路１２５１は、第２の選択回路１２７１からの選択信号によって上述した２つのクロック信号供給ユニットからのクロック信号のいずれか一方を選択する回路である。
状態保持回路１２６１は、クロック信号切り替え制御ユニット１４からの地気情信号によりクロック信号切り替え制御ユニット１４からのクロック切り替え信号を保持する回路である。
パワーオンリセット信号発生回路１２８１は、パワーオン時にリセット信号を出力する回路である。クロック信号被供給ユニット１２１に電源が供給されると、電源が立ち上がった後、内部回路が正常な動作が開始するまでの間（以下、リセット時間という）、パワーオンリセット信号発生回路１２８１はリセット信号Ｒを出力する。リセット信号Ｒは、リセット時間、例えば、“Ｌ”レベルの信号で、リセット期間経過後は、例えば、“Ｈ”レベルの信号である。
【００１５】
第２の選択回路１２７１は、パワーオンリセット信号発生回路１２８１からリセット信号が出力されているならば他の各クロック信号被供給ユニットからの選択信号（インヒビット回路１２９ｉからの選択信号）Ｓ２（第２の選択回路１２７１の第２の入力）を選択する一方、パワーオンリセット信号発生回路１２８１からリセット信号が出力されていないならば状態保持回路１２６１に保持され出力されているクロック切り替え信号Ｓ１（第２の選択回路１２７１の第１の入力）を選択する回路である。
【００１６】
インヒビット回路１２９１は、パワーオンリセット信号発生回路１２８１からリセット信号が出力されているならば（リセット時間の間）第２の選択回路１２７１で選択され出力されるクロック選択信号Ｓ３をインヒビットして所定信号レベルの選択信号Ｓ２を出力し、リセット信号が出力されているならば（リセット時間経過後）クロック選択信号Ｓ３を出力する回路である。インヒビット回路１２９１は、オープンコレクタ出力バッファであり、他の複数のクロック信号被供給ユニット１２ｉのインヒビット回路１２９ｉの出力とマルチ接続され、その出力信号は、各リセット信号被供給ユニット１２ｉの第２の選択回路１２７ｉの第２の入力及びクロック信号切り替え制御ユニット１４へ供給され得る構成となっている。
インヒビット回路１２９ｉの各出力部構成と以下に述べる抵抗素子１３０ｉとは、それら各出力からの選択信号がオア論理でクロック信号切り替え制御ユニット１４へ供給される回路構成となっている。
抵抗素子１３０１，１３１１は、オープンコレクタ出力バッファ構成のインヒビット回路１２９１のためのプルアップ抵抗素子である。
【００１７】
次に、クロック信号切り替え制御ユニット１４についての構成を説明する。
クロック信号切り替え制御ユニット１４は、図１に示すように、パワーオンリセット信号発生回路１４１と、インバータ１４２と、第３の選択回路１４３と、第４の選択回路１４４と、フリップフロップ回路１４５と、抵抗素子１４６，１４７とを有し、地気情報信号（実装信号）１４８をクロック信号被供給ユニット１２へ供給するように構成されている。
【００１８】
パワーオンリセット信号発生回路１４１は、パワーオン時にリセット信号を出力する回路である．クロック信号切り替え制御ユニット１４に電源が供給されると、電源が立ち上がった後、内部回路が正常な動作が開始するまでの間（以下、リセット時間という）、パワーオンリセット信号発生回路１４１はリセット信号Ｒを出力する。リセット信号Ｒは、リセット時間、例えば、“Ｌ”レベルの信号で、リセット期間経過後は、例えば、“Ｈ”レベルの信号である。
【００１９】
インバータ１４２は、その入力が上述した各インヒビット回路の出力にマルチ接続され、その出力信号を反転して出力する回路である。
第３の選択回路１４３は、その第１の入力が上述した各第１のバッファ回路の出力にマルチ接続される一方、第２の入力がインバータ１４２の出力に接続され、パワーオンリセット信号発生回路１４１からのリセット信号によって上述した第１の検出信号及びインバータ１４２から出力される信号のうちのいずれか一方を選択して出力する回路である。
【００２０】
第４の選択回路１４４は、その第１の入力が上述した各第２のバッファ回路の出力にマルチ接続される一方、第２の入力が上述した各リセット信号被供給ユニットの各インヒビット回路の出力にマルチ接続され、パワーオンリセット信号発生回路１４１からのリセット信号によって上述した第２の検出信号及び上述のマルチ接続から出力される選択信号Ｓ２のうちのいずれか一方を選択して出力する回路である。
フリップフロップ回路１４５は、そのセット入力に第３の選択回路の出力が接続され、リセット入力に第４の選択回路１４４の出力が接続され、その出力にクロック切り替え信号を出力する回路である。フリップフロップ回路１４５は、２つのナンド回路１４５１，１４５２から構成されている。
抵抗素子１４６，１４７は、各リセット信号被供給ユニットのオープンコレクタ出力バッファのためのプルアップ抵抗素子である。
【００２１】
次に、図１を参照して、この実施形態の動作を説明する。
先ず、クロック信号被供給ユニット１２ｉ及びクロック信号切り替え制御ユニット１４は、デジタル処理装置の構体の対応挿入部に挿入され、各ユニットに電源が供給された状態における動作を説明する。
その各ユニット１２ｉ，１４に電源が供給されると、電源が立ち上がった後、内部回路が正常な動作が開始するまでの間（リセット時間）、パワーオンリセット信号発生回路１２８ｉ，１４１はリセット信号Ｒを出力する。
パワーオンリセット信号発生回路１２８ｉから出力されるリセット信号Ｒによって、インヒビット回路１２９ｉは、第２の選択回路１２７ｉで選択された信号をインヒビットした信号（所定レベルの選択信号）Ｓ２を出力する。
一方、パワーオンリセット信号発生回路１４１から出力されるリセット信号Ｒによって、第３の選択回路１４３は、インバータ１４２で反転されたる選択信号を選択して出力し、第４の選択回路１４４は、選択信号Ｓ２を選択して出力する。
【００２２】
セット入力に第３の選択回路１４３の出力信号を、また、リセット入力に第４の選択回路１４４の出力信号を受けるフリップフロップ回路１４５は、その出力に選択信号Ｓ２に対応する、すなわち、信号レベルを選択信号Ｓ２と同一とするクロック切り替え信号Ｓ１を生成して出力する。
このとき、状態保持回路１２６ｉには、クロック信号切り替え制御ユニット１４から地気情報信号が供給されているから、状態保持回路１２６ｉは、クロック信号切り替え制御ユニット１４からのクロック切り替え信号Ｓ１を保持する。
【００２３】
上述のように、第２の選択回路１２７ｉには、パワーオンリセット信号発生回路１２８ｉからリセット信号Ｒが出力されているから、インヒビット回路１２９ｉから出力されている選択信号Ｓ２を選択して出力する。
第１の選択回路１２５ｉは、第２の選択回路１２７ｉから出力される選択信号、すなわち、クロック選択信号によって、上述した２つのクロック信号供給ユニット（クロック供給系）からのクロック信号のうちの該クロック選択信号対応のクロック信号を選択し、そのクロック信号をクロック信号被供給ユニット１２ｉの内部回路へ供給する。
【００２４】
そして、上述のリセット時間経過後は、パワーオンリセット信号発生回路１２８ｉからリセット信号Ｒが出力されなくなるから、第２の選択回路１２７ｉは、状態保持回路１２６ｉに保持され出力されているクロック切り替え信号Ｓ１をクロック選択信号Ｓ３として選択して出力する。
したがって、第１の選択回路１２５ｉは、上述のリセット時間の前後を問わず、同一のクロック選択信号Ｓ３によって、２重化クロック供給系から供給されているクロック信号のうちの該クロック選択信号対応のクロック信号を選択し、そのクロック信号をクロック信号被供給ユニット１２ｉの内部回路へ供給する。不要なクロック信号の切り替えは生じない（クロック信号の誤選択を生じさせない）。
【００２５】
次に、上述のようにして、２重化クロック供給系のうちの所定のクロック供給系が選択されてデジタル処理装置での処理が行われている状態において、クロック切り替え制御ユニット１４が抜去されたときのクロック切り替え回路１０の動作について説明する。
クロック切り替え制御ユニット１４の抜去前までのクロック切り替え信号Ｓ１は、状態保持回路１２６ｉに保持され出力されている。
上記抜去時には、パワーオンリセット信号発生回路１２８ｉからリセット信号は出力されていない、すなわち、Ｈレベルのリセット信号が出力されているから、第２の選択回路１２７ｉは、状態保持回路１２６ｉに保持されているクロック切り替え信号Ｓ１を選択し、クロック選択信号Ｓ３として出力する。
上記抜去があっても、抜去前までのクロック選択信号Ｓ３によって、２重化クロック供給系のうちの、上述した所定のクロック供給系が選択され得る。したがって、不要なクロック信号の切り替えは生ぜず、上記挿入前後における誤ったクロック信号の切り替えを確実に防止し得る。
【００２６】
今、説明したクロック切り替え制御ユニット１４を抜去した後に、抜去したクロック切り替え制御ユニット１４を挿入したときのクロック切り替え回路１０の動作について説明する。
クロック切り替え制御ユニット１４の抜去時と同じ選択信号Ｓ２が、クロック信号被供給ユニット１２ｉからクロック切り替え制御ユニット１４へ供給される。
したがって、その選択信号が第４の選択回路１４４で選択され、反転された選択信号が第３の選択回路１４３で選択されてフリップフロップ回路１４５へ入力されるから、抜去前と同じクロック切り替え信号Ｓ１が出力される。
そのクロック切り替え信号Ｓ１は、地気情報信号によって状態保持回路１２６ｉからそのまま出力される。
【００２７】
このときには、パワーオンリセット信号発生回路１２８ｉは、Ｈレベルのリセット信号を出力しているから、第２の選択回路１２７ｉは、状態保持回路１２６ｉから出力されるクロック切り替え信号Ｓ１を選択しクロック選択信号Ｓ３として出力して第１の選択回路１２５ｉにおける２重化クロック供給系の選択に供される。
第１の選択回路１２５ｉに供給されるクロック選択信号Ｓ３は、クロック切り替え制御ユニット１４を抜去する前のクロック選択信号Ｓ３と同一である。
したがって、挿入後も、抜去前までのクロック選択信号Ｓ３によって、２重化クロック供給系のうちの、抜去前までの所定のクロック供給系が選択され得る。それ故、不要なクロック信号の切り替えは生ぜず、上記挿入前後における誤ったクロック信号の切り替えを確実に防止し得る。
【００２８】
次に、上述のようにして、２重化クロック供給系のうちのいずれかのクロック信号被供給ユニット１２ｌが抜去された状態で、２重化クロック供給系のうちの、予め設定されるいずれか一方のクロック供給系が選択され、そのクロック信号によって挿入済みの各クロック信号被供給ユニット１２ｋが駆動されている状態において、抜去されていたクロック信号被供給ユニット１２ｌが新たに挿入されたときのクロック切り替え回路１０の動作について説明する。
挿入されたクロック信号被供給ユニット１２ｌのパワーオンリセット信号発生回路１２８ｌは、上述したリセット時間の間、“Ｌ”レベルのリセット信号を出力するから、第２の選択回路１２７ｌは、上記リセット時間の間、挿入済みの各クロック信号被供給ユニット１２ｋから出力されている選択信号Ｓ２を選択しクロック選択信号Ｓ３として出力する。
【００２９】
一方、上記リセット時間の間に、クロック信号切り替え制御ユニット１４から出力されるクロック切り替え信号Ｓ１は、上述したところと同様に、挿入済みの各クロック信号被供給ユニット１２ｋから出力されている選択信号Ｓ２に基づいてクロック切り替え信号Ｓ１として生成されるから、クロック信号被供給ユニット１２ｌの挿入前のクロック切り替え信号Ｓ１と同一である。そのクロック切り替え信号Ｓ１は、クロック信号切り替え制御ユニット１４から出力されている地気情報信号によって状態保持回路１２６ｌからそのまま出力されるが、第２の選択回路１２７ｌは、上述の選択をしており、状態保持回路１２６ｌに保持され出力されるクロック切り替え信号Ｓ１の選択は行わない。
【００３０】
しかし、上記リセット時間経過後は、パワーオンリセット信号発生回路１２８ｌは、 “Ｈ”レベルのリセット信号を出力するから、第２の選択回路１２７ｌは、状態保持回路１２６ｌから出力されるクロック切り替え信号Ｓ１を選択しクロック選択信号Ｓ３として出力して第１の選択回路１２５ｌにおける２つのクロック信号供給系の選択に供される。
第１の選択回路１２５ｌに供給されるクロック選択信号Ｓ３は、クロック信号被供給ユニット１２ｌを挿入する前のクロック選択信号Ｓ３と同一である。
したがって、挿入されたクロック信号被供給ユニット１２ｌでクロック供給系の選択に用いられるクロック選択信号Ｓ３は、その挿入前にクロック切り替え回路１０で用いられていたクロック選択信号Ｓ３と同一となり、クロック信号被供給ユニット１２ｌにおいても他のクロック信号被供給ユニット１２ｋと同じクロック供給系の選択に統一化され得る。それ故、不要なクロック信号の切り替えは生ぜず、上記挿入における誤ったクロック信号の切り替えを確実に防止し得る。
【００３１】
このように、この実施形態によれば、クロック信号切り替え制御ユニットの挿抜時でも、また、クロック信号被供給ユニットの挿入時でも、クロック切り替え回路内に、それらの時点前のクロック選択信号をそれらの時点後へ確実に継受させ得るクロック供給系の選択手段、すなわち、クロック信号の統一した選択系を構築しているので、不要なクロック信号の切り替えを確実に防止することができる。
【００３２】
以上、この発明の実施形態を、図面を参照して詳述してきたが、この発明の具体的な構成は、これらの実施形態に限られるものではなく、この発明の要旨を逸脱しない範囲の設計の変更等があってもそれらはこの発明に含まれる。
例えば、実施形態では、複数のクロック信号被供給ユニットのうちの各クロック信号被供給ユニットでの２重化クロック供給系の選択について説明したが、１つのクロック信号被供給ユニットでの２重化クロック供給系の選択にもこの発明を適用し得る。
また、状態保持回路を基本にしてその他の上述構成を変形してこの発明を実施することも可能である。例えば、第２の選択回路１２７ｉを２つのゲート回路で構成し、その一方のゲート回路に状態保持回路１２６ｉからクロック切り替え信号Ｓ１を入力しそのクロック切り替え信号Ｓ１の通断を上述のリセット信号で制御し、また、他方のゲート回路にインヒビット回路１２９ｉから選択信号Ｓ２を入力しその選択信号Ｓ２の通断を上述のリセット信号で制御する回路構成を用いてこの発明を実施し得る。
【産業上の利用可能性】
【００３３】
ここに開示しているクロック切り替え回路及びクロック信号被供給ユニットは、２重化等のクロック供給系を備える各種のデジタル処理装置に利用し得る。
【符号の説明】
【００３４】
１０      クロック切り替え回路
１２ｉ      クロック信号被供給ユニット
１４      クロック信号切り替え制御ユニット
１２６ｉ      状態保持回路
１２５ｉ      第１の選択回路（クロック選択回路の一部）
１２７ｉ      第２の選択回路（クロック選択回路の一部、選択回路）
１２８ｉ      パワーオンリセット信号発生回路（クロック選択回路の一部、リセット信号出力回路）
１２９ｉ      インヒビット回路（クロック選択回路の一部、禁止回路）
１３０ｉ      抵抗素子（クロック選択回路の一部）
１３１ｉ      抵抗素子（クロック選択回路の残部）
１４１      パワーオンリセット信号発生回路（クロック切り替え信号出力回路の一部）
１４２      インバータ（クロック切り替え信号出力回路の一部）
１４３      第３の選択回路（クロック切り替え信号出力回路の一部）
１４４      第４の選択回路（クロック切り替え信号出力回路の一部）
１４５      フリップフロップ回路（クロック切り替え信号出力回路の残部）
【図１】
2010191725.tif 000003